(57)【要約】【課題】  安価で信頼性のある圧力計を使用して測定した貯水器内の水圧の変化率に基づいて改質水ポンプを制御することにより、コスト上昇を抑制しかつ信頼性の高い燃料電池システムを提供する。【解決手段】  燃料電池システムは、供給される燃料と改質水から改質ガスを生成して燃料電池１０に供給する改質器２０と、改質水を貯水する貯水器５０と、この貯水器５０内に貯水されている改質水を改質器２０に送出する改質水ポンプ５３と、貯水器５０内の水圧を測定する圧力計５１と、この圧力計５１によって測定された水圧の変化率に基づいて改質水ポンプ５３をフィードバック制御する制御装置を備えている。【選択図】  図１
2005276544.tif 000002
【特許請求の範囲】
【請求項１】
液体を貯蔵する液体用タンクと、
該液体用タンク内に貯蔵されている液体を該液体を利用する利用機器に送出する送出手段と、
前記液体用タンク内の圧力を測定する圧力計と、
該圧力計によって測定された圧力の変化率に基づいて前記送出手段をフィードバック制御する制御手段とを備えたことを特徴とする液体送出制御システム。
【請求項２】
請求項１において、前記制御手段は、
前記圧力計によって測定された圧力に基づいて圧力変化率を導出する変化率導出手段と、
該変化率導出手段によって導出された圧力変化率に基づいて前記送出手段の送出量を導出する送出量導出手段とを備え、
前記制御手段が前記送出量導出手段によって導出された送出量を目標送出量とするように制御することを特徴とする液体送出制御システム。
【請求項３】
それぞれ供給される燃料と改質水から改質ガスを生成して燃料電池に供給する改質器と、
前記改質水を貯水する貯水器と、
該貯水器内に貯水されている改質水を前記改質器に送出する改質水ポンプと、
前記貯水器内の水圧を測定する圧力計と、
該圧力計によって測定された水圧の変化率に基づいて前記改質水ポンプをフィードバック制御する制御手段とを備えたことを特徴とする燃料電池システム。
【請求項４】
請求項３において、前記制御手段は、
前記圧力計によって測定された水圧に基づいて水圧変化率を導出する変化率導出手段と、
該変化率導出手段によって導出された水圧変化率に基づいて前記改質水ポンプの送出量を導出する送出量導出手段と、
該送出量導出手段によって導出された送出量を目標送出量とするように前記改質水ポンプを制御するポンプ制御手段とを備えたことを特徴とする燃料電池システム。
【発明の詳細な説明】
【技術分野】
【０００１】
本発明は、液体を貯蔵している液体用タンクから液体を送出する液体送出制御システムに関し、特に、改質器に供給される燃料と改質水から生成された改質ガスと空気を燃焼電池に供給して発電させる燃料電池システムにおいて改質器に改質水を供給する改質水ポンプの制御に関する。
【背景技術】
【０００２】
燃料電池システムとして、燃料電池１およびＣＯ変成器３生成熱を回収してそれぞれ所定の運転温度に保持する冷却水循環系４が水蒸気分離器５を備え、分離したスチ−ム８を原燃料に添加して燃料改質器２に供給するとともに、外部の熱利用設備１６に熱媒体として供給するものが知られている（特許文献１）。この燃料電池システムでは、特許文献１の図2に示されているように、水蒸気分離器５内の水位を水位検出器が検出し、その検出信号により設定水位より所定レベル液面が低下したことを感知したレベル調節器１７が、弁１４を開閉して純水の供給を間欠的に制御し、水蒸気分離器内の液面をその設定レベルに保持するフィ−ドバック制御方法が行われている（特許文献１の［０００２］〜[０００３]）。この場合には、純水の補給を間欠的に制御するので、水蒸気分離器５内の水位が低くなったときに給水を開始し、水位が設定レベルに復帰したときに給水を停止するため、給水の周期に併せて水蒸気分離器５内の温度および圧力が変動し、これが原因でスチ−ムの供給量が周期的に変化し、安定した熱量を熱負荷としての燃料改質器２および熱利用設備１６に供給できないという問題が発生する。
【０００３】
この問題を解決した燃料電池システムは、特許文献１の図１に示されているように、水蒸気分離器５への給水量をスチ−ムの供給量に比例して連続的に制御する給水制御手段、例えばスチ−ム流量検出器２５，２６の検出信号および給水流量検出器２７の検出信号を受けて給水調整弁２４の一次操作指令を発する主調節器２１を含むもの、あるいは水位検出器２８の検出水位に対応して給水量を補正した二次操作指令を発する副調節器２２を含むものである（特許文献１の［００１０］〜[００１２]）。
【特許文献１】特開平０６−２７５２９４号公報（第２，３頁、図１，２）
【発明の開示】
【発明が解決しようとする課題】
【０００４】
上述した特許文献１の［００１０］〜[００１２]に記載されている燃料電池システムにおいては、スチーム流量検出器２５および水位検出器２８を使用するため部品点数が多くなり、またスチーム流量検出器２５すなわち流量計は一般的に高価なものであるため、システム全体としてコストが上昇するという問題があった。また流量計はデリケートな装置であるため故障しやすく、そのためシステムの信頼性を向上しがたいという問題があった。
【０００５】
本発明は、上述した問題を解消するためになされたもので、安価で信頼性のある圧力計を使用して測定した貯水器内の水圧の変化率に基づいて改質水ポンプを制御することにより、コスト上昇を抑制しかつ信頼性の高い燃料電池システムおよび液体送出制御システムを提供することを目的とする。
【課題を解決するための手段】
【０００６】
上記の課題を解決するため、請求項１に係る発明の構成上の特徴は、液体を貯蔵する液体用タンクと、この液体用タンク内に貯蔵されている液体をこの液体を利用する利用機器に送出する送出手段と、液体用タンク内の圧力を測定する圧力計と、この圧力計によって測定された圧力の変化率に基づいて送出手段をフィードバック制御する制御手段とを備えたことである。
【０００７】
また請求項２に係る発明の構成上の特徴は、請求項１において、制御手段は、圧力計によって測定された圧力に基づいて圧力変化率を導出する変化率導出手段と、この変化率導出手段によって導出された圧力変化率に基づいて送出手段の送出量を導出する送出量導出手段とを備え、制御手段が送出量導出手段によって導出された送出量を目標送出量とするように制御することである。
【０００８】
また請求項３に係る発明の構成上の特徴は、それぞれ供給される燃料と改質水から改質ガスを生成して燃料電池に供給する改質器と、改質水を貯水する貯水器と、この貯水器内に貯水されている改質水を改質器に送出する改質水ポンプと、貯水器内の水圧を測定する圧力計と、この圧力計によって測定された水圧の変化率に基づいて改質水ポンプをフィードバック制御する制御手段とを備えたことである。
【０００９】
また請求項４に係る発明の構成上の特徴は、請求項３において、制御手段は、圧力計によって測定された水圧に基づいて水圧変化率を導出する変化率導出手段と、この変化率導出手段によって導出された水圧変化率に基づいて改質水ポンプの送出量を導出する送出量導出手段と、この送出量導出手段によって導出された送出量を目標送出量とするように改質水ポンプを制御するポンプ制御手段とを備えたことである。
【発明の効果】
【００１０】
上記のように構成した請求項１に係る発明においては、制御手段は、液体用タンク内の圧力を測定する圧力計によって測定された圧力の変化率に基づいて、液体用タンク内に貯蔵されている液体をこの液体を利用する利用機器に送出する送出手段をフィードバック制御する。測定された圧力は液体用タンク内の水量に比例しており、液体用タンク内の液体の出入量に応じて増減する。すなわち、液体用タンク内の液体の出入流量は圧力の変化率に比例する。したがって、液体用タンクの液体の出流量に比例する圧力の変化率に基づいて送出手段をフィードバック制御することができる。液体用タンク内の圧力を測定する圧力計は一般的に安価な装置であり、この安価な装置を使用して送出手段を制御することとなるので、液体送出制御システム全体のコスト上昇を抑制することができる。また圧力計は一般的に信頼性が高い装置であり、この信頼性の高い装置を使用して送出手段を制御することとなるので、液体送出制御システムの信頼性を向上することができる。
【００１１】
上記のように構成した請求項２に係る発明においては、変化率導出手段が圧力計によって測定された圧力に基づいて水圧変化率を導出し、送出量導出手段が変化率導出手段によって導出された水圧変化率に基づいて送出手段の送出量を導出し、制御手段が送出量導出手段によって導出された送出量を目標送出量とするように送出手段を制御するので、確実かつ容易に送出手段を制御することができる。
【００１２】
上記のように構成した請求項３に係る発明においては、制御手段は、貯水器内の水圧を測定する圧力計によって測定された水圧の変化率に基づいて改質水ポンプをフィードバック制御する。測定された水圧は貯水器内の水量に比例しており、貯水器の水の出入量に応じて増減する。すなわち、貯水器の水の出入流量は水圧の変化率に比例する。したがって、貯水器の水の出流量に比例する水圧の変化率に基づいて改質水ポンプをフィードバック制御することができる。貯水器内の水圧を測定する圧力計は一般的に安価な装置であり、この安価な装置を使用して改質水ポンプを制御することとなるので、燃料電池システム全体のコスト上昇を抑制することができる。また圧力計は一般的に信頼性が高い装置であり、この信頼性の高い装置を使用して改質水ポンプを制御することとなるので、燃料電池システムの信頼性を向上することができる。
【００１３】
上記のように構成した請求項４に係る発明においては、変化率導出手段が圧力計によって測定された水圧に基づいて水圧変化率を導出し、送出量導出手段が変化率導出手段によって導出された水圧変化率に基づいて改質水ポンプの送出量を導出し、ポンプ制御手段が送出量導出手段によって導出された送出量を目標送出量とするように改質水ポンプを制御するので、確実かつ容易に改質水ポンプを制御することができる。
【発明を実施するための最良の形態】
【００１４】
以下、本発明による液体送出制御システムを適用した燃料電池システムの一実施の形態について説明する。図１はこの燃料電池システムの概要を示す概要図である。この燃料電池システムは燃料電池１０とこの燃料電池１０に必要な水素ガスを含む改質ガスを生成する改質器２０を備えている。
【００１５】
燃料電池１０は、燃料極１１と空気極１２と両極１１，１２間に介装された電解質１３を備えており、燃料極１１に供給された改質ガスおよび空気極１２に供給された空気（カソードエア）を用いて発電するものである。なお、本実施の形態においては、燃料電池１０が高分子電解質形燃料電池である場合について説明する。したがって、電解質１３はイオン交換膜（特にカチオン交換膜）であり、燃料は天然ガス、メタノールである。
【００１６】
燃料極１１においては、供給された水素ガスが下記化１のように反応し、生成物である水素イオンが電解質１３を通って空気極１２に供給されるとともに未反応の水素ガスを含んだアノードオフガスが排出される。また空気極１２においては、供給された空気中の酸素および燃料極１１から電解質１３を介して供給された水素イオンが下記化２のように反応し、水（水蒸気）が生成されその水蒸気を含んだカソードオフガスが排出される。
【００１７】
（化１）
H２  →  ２H＋＋２ｅ−
（化２）
２H＋＋１／２Ｏ２＋２ｅ−  →  H２Ｏ
ここで、燃料極１１で生成された電子は外部に接続された回路（インバータ回路）を通って空気極１２に到達し、空気極１２にてその電子を使用して上記化２に示す反応が生じこれにより燃料電池１０は発電する。
【００１８】
なお、燃料電池１０の空気極１２には、空気を供給する供給管６１およびカソードオフガスを排出する排出管６２が接続されており、これら供給管６１および排出管６２の途中には、空気を加湿するための加湿器１４が設けられている。この加湿器１４は水蒸気交換型であり、排出管６２中すなわち空気極１２から排出される気体中の水蒸気を除湿してその水蒸気を供給管６１中すなわち空気極１２へ供給される空気中に供給して加湿するものである。
【００１９】
改質器２０は、天然ガス、ＬＰガス、灯油、メタノールなどの燃料を水蒸気改質し、水素リッチな改質ガスを燃料電池１０に供給するものであり、バーナ２１、改質部２２、一酸化炭素シフト反応部（以下、ＣＯシフト部という）２３および一酸化炭素選択酸化反応部（以下、ＣＯ選択酸化部という）２４から構成されている。なお、本実施の形態においては、改質器２０が、液体用タンク（貯水器５０）内に貯蔵されている液体（改質水）を利用する利用機器である。
【００２０】
バーナ２１は、起動時に外部から燃焼用燃料および燃焼用空気が供給され、または定常運転時に燃料電池１０の燃料極１１からアノードオフガス（燃料電池に供給され使用されずに排出された改質ガス）が供給され、供給された各ガスを燃焼して燃焼ガスを改質部２２に導出するものである。この燃焼ガスは改質部２２を（同改質部２２の触媒の活性温度域となるように）加熱し、その後燃焼ガス用凝縮器３４を通ってその燃焼ガスに含まれている水蒸気が凝縮されて外部に排気される。燃焼ガス用凝縮器３４は配管６３を介して後述する純水器４０に連通している。
【００２１】
改質部２２は、外部から供給された燃料に蒸発器２５からの水蒸気（改質水）を混合した混合ガスを改質部２２に充填された触媒により改質して水素ガスと一酸化炭素ガスを生成している（いわゆる水蒸気改質反応）。これと同時に、水蒸気改質反応にて生成された一酸化炭素と水蒸気を水素ガスと二酸化炭素とに変成している（いわゆる一酸化炭素シフト反応）。これら生成されたガス（いわゆる改質ガス）はＣＯシフト部２３に導出される。
【００２２】
ＣＯシフト部２３は、この改質ガスに含まれる一酸化炭素と水蒸気をその内部に充填された触媒により反応させて水素ガスと二酸化炭素ガスとに変成している。これにより、改質ガスは一酸化炭素濃度が低減されてＣＯ選択酸化部２４に導出される。
【００２３】
ＣＯ選択酸化部２４は、改質ガスに残留している一酸化炭素と外部からさらに供給されたＣＯ浄化用の空気とをその内部に充填された触媒により反応させて二酸化炭素を生成している。これにより、改質ガスは一酸化炭素濃度がさらに低減されて（１０ｐｐｍ以下）燃料電池１０の燃料極１１に導出される。
【００２４】
蒸発器２５は、一端が貯水器５０内に配置され他端が改質部２２に接続された改質水供給管６８の途中に配設されている。改質水供給管６８には送出手段である改質水用ポンプ５３が設けられている。このポンプ５３は制御装置７０によって制御されており、貯水器５０内の改質水として使用する回収水を蒸発器２５に圧送している。蒸発器２５は例えばバーナ２１から排出される燃焼ガス、改質部２２、ＣＯシフト部２３などの熱によって加熱されており、これにより圧送された改質水を水蒸気化する。
【００２５】
改質器２０のＣＯ選択酸化部２４と燃料電池１０の燃料極１１とを連通する配管６４の途中には、凝縮器３０が設けられている。この凝縮器３０は改質ガス用凝縮器３１、アノードオフガス用凝縮器３２およびカソードオフガス用凝縮器３３が一体的に接続された一体構造体である。改質ガス用凝縮器３１は配管６４中を流れる燃料電池１０の燃料極１１に供給される改質ガス中の水蒸気を凝縮する。アノードオフガス用凝縮器３２は、燃料電池１０の燃料極１１と改質器２０のバーナ２１とを連通する配管６５の途中に設けられており、その配管６５中を流れる燃料電池１０の燃料極１１から排出されるアノードオフガス中の水蒸気を凝縮する。カソードオフガス用凝縮器３３は、排出管６２の加湿器１４の下流に設けられており、その排出管６２中を流れる燃料電池１０の空気極１２から排出されるカソードオフガス中の水蒸気を凝縮する。なお、凝縮器３０には、図示しない貯湯槽の低温液体またはラジエータおよび冷却ファンによって冷却された液体が供給されるようになっており、この液体との熱交換によって各ガス中の水蒸気を凝縮している。
【００２６】
これら凝縮器３１，３２，３３は配管６６を介して純水器４０に連通しており、各凝縮器３１，３２，３３にて凝縮された凝縮水は、純水器４０に導出され回収されるようになっている。純水器４０は、凝縮器３０および燃焼ガス用凝縮器３４から供給された凝縮水すなわち回収水を内蔵のイオン交換樹脂によって純水にするものであり、純水化した回収水を貯水器５０に導出するものである。なお、純水器５０には水道水供給源（例えば水道管）から供給される補給水（水道水）を導入する配管６７が接続されており、純水器５０内の貯水量が下限水位を下回ると水道水が供給されるようになっている。
【００２７】
液体用タンクである貯水器５０は純水器４０から導出された回収水を液体である改質水として一時的に溜めておく（貯蔵する）ものである。この貯水器５０内の底部には圧力計５１が配設されている。この圧力計５１は貯水器５０内の水圧（圧力）を測定するものであり、測定信号は制御装置７０に送出されている。圧力計５１は水圧を検出する検出部が位置する水位の水圧を検出できるものである。したがって、検出部が貯水器５０の最下部に配置されるように圧力計５１が底面内壁に当接して設けられると、貯水器５０内の全水量の水圧を測定でき、検出部が貯水器５０の最下部から所定の高さに配置されるように圧力計５１が設けられると、その高さまでの水量の水圧を測定できる。本実施の形態においては、圧力計５１は底面内壁に当接して設けられている。なお、圧力計５１を貯水器５０の最下部から所定の高さに配置するようにしてもよく、この場合所定高さを下限水位となるようにすればよい。これによれば、圧力計５１の検出信号が０になれば、貯水器５０内の回収水が下限水位であることが判定できるので、演算する手間なく回収水の下限を検出することができる。
【００２８】
また、上述した圧力計５１および改質水ポンプ５３は制御装置７０に接続されている（図２参照）。制御装置７０はマイクロコンピュータ（図示省略）を有しており、マイクロコンピュータは、バスを介してそれぞれ接続された入出力インターフェース、ＣＰＵ、ＲＡＭおよびＲＯＭ（いずれも図示省略）を備えている。ＣＰＵは、図３のフローチャートに対応したプログラムを実行して、改質水ポンプ５３のフィードバック制御を行っている。ＲＡＭは同プログラムの実行に必要な変数を一時的に記憶するものであり、ＲＯＭは前記プログラムを記憶するものである。
【００２９】
次に、上述した燃料電池システムの作動について図３を参照して説明する。制御装置７０は図示しない起動スイッチがオンされると、図３に示すプログラムを所定の単位時間毎に実行する。制御装置７０は、このプログラムが開始される毎に、圧力計５１によって測定された水圧に基づいて水圧変化率を導出する（変化率導出手段）。すなわち、制御装置７０は、ステップ１０２において、貯水器５０内の水圧を圧力計５１によって測定するとともに、その測定値を記憶する。ステップ１０４において、前回測定して記憶している水圧および今回測定した水圧により水圧変化率ΔＰを導出する。具体的には、前回および今回測定した水圧の差を所定の単位時間で除算する。なお、水圧変化率ΔＰは最近導出した複数回分（例えば１０回）の平均を取るようにしてもよい。
【００３０】
ここで、水圧の変化率ΔＰと流量Ｖｗとの関係について説明する。底面積Ｓの箱状容器に水位Ｈ１まで水が入っている。ポンプを所定時間Ｔだけ作動させて水を水位Ｈ２となるまで汲みだす。この場合、流量Ｖｗは、下記数１に示すように、汲みだした水量すなわち底面積Ｓ×減少した水位Ｈ１−Ｈ２を、汲みだした時間Ｔで除算して算出される。
【数１】
2005276544.tif 000003
一方、底面の受ける初めの水圧Ｐ１は、下記数２に示すように、比重×（底面積Ｓ×水位Ｈ１）／底面積Ｓで演算され、汲みだし後の水圧Ｐ２は下記数３に示すように演算される。なお水の比重を１とする。
【数２】
2005276544.tif 000004
【数３】
2005276544.tif 000005
上記数２および数３の結果を上記数１に代入すると、上記数１は下記数４のように変形される。
【数４】
2005276544.tif 000006
したがって、測定された水圧は貯水器５０内の貯水量（厳密には圧力計より上位の貯水量）に比例しており、貯水器の水の出入量に応じて増減する。すなわち、貯水器５０の水の出入流量は水圧の変化率に比例する。このことを利用して、制御装置７０は、ステップ１０６において、上記数４から貯水器５０から導出されている改質水の流量Ｖｗ、すなわち改質水ポンプ５３の実際の送出量を導出する（送出量導出手段）。そして、制御装置７０は、ステップ１０８において、ステップ１０６にて導出された送出量（流量Ｖｗ）を目標送出量（例えば１０ｃｃ／ｍｉｎ）とするように改質水ポンプ５３をフィードバック制御する。
【００３１】
上述した説明から理解できるように、この実施の形態においては、制御装置７０は、貯水器５０内の水圧を測定する圧力計５１によって測定された水圧の変化率に基づいて改質水ポンプ５３をフィードバック制御する。したがって、貯水器５０内の水圧を測定する圧力計５１は一般的に安価な装置であり、この安価な装置を使用して改質水ポンプ５３を制御することとなるので、燃料電池システム全体のコスト上昇を抑制することができる。また圧力計５１は一般的に信頼性が高い装置であり、この信頼性の高い装置を使用して改質水ポンプ５３を制御することとなるので、燃料電池システムの信頼性を向上することができる。
【００３２】
また、ステップ１０２，１０４において圧力計５１によって測定された水圧に基づいて水圧変化率ΔＰを導出し、ステップ１０６において水圧変化率Δに基づいて改質水ポンプ５３の実際の送出量Ｖｗを導出し、ステップ１０８において送出量Ｖｗを目標送出量とするように改質水ポンプ５３を制御するので、確実かつ容易に改質水ポンプ５３を目標送出量に制御することができる。
【００３３】
なお、本実施の形態においては、圧力計５１は液体用タンク（貯水器５０）内の底部に設けられているので、液体用タンクのほぼすべての液体（改質水）を利用でき、また、液面の揺動の影響を受けにくいというメリットがある。しかし、必ずしも底部に設けなくてもよい。常に液体用タンク内に所定量の液体が残っているように制御する場合などには、その所定量によってきまる高さ以下の液体用タンクの側面などに設けてもよい。
【００３４】
また、液体用タンクは、水平断面積が一定の形状であれば、液体の送出量と圧力変化率の相関が線形となるので、送出量導出の演算が簡単となり好ましい。しかし、液体の送出量と圧力変化率の相関が線形でなくとも、液体用タンク中の液面の高さと圧力の相関を予めマップなどで記憶しておけば、水平断面積が一定でない形状の液体用タンクでも利用できる。
【００３５】
なお、上述した実施の形態においては、液体送出制御システムを改質水の送出制御に対して利用したが、これに限らず、液体用タンクより液体の利用機器に送出する他の液体の送出制御に対して利用することも可能である。例えば、燃料電池システムにおいては、燃料電池に供給するガスを加湿する加湿水の送出制御に利用でき、また、改質器に送る燃料としてメタノールなどの液体燃料を利用する場合や燃料電池の燃料極にメタノールなどの液体燃料を供給する場合には、この液体燃料の送出制御に利用できる。
【００３６】
これによっても、制御手段は、液体用タンク内の圧力を測定する圧力計によって測定された圧力の変化率に基づいて、液体用タンク内に貯蔵されている液体をこの液体を利用する利用機器に送出する送出手段をフィードバック制御する。測定された圧力は液体用タンク内の水量に比例しており、液体用タンク内の液体の出入量に応じて増減する。すなわち、液体用タンク内の液体の出入流量は圧力の変化率に比例する。したがって、液体用タンクの液体の出流量に比例する圧力の変化率に基づいて送出手段をフィードバック制御することができる。液体用タンク内の圧力を測定する圧力計は一般的に安価な装置であり、この安価な装置を使用して送出手段を制御することとなるので、液体送出制御システム全体のコスト上昇を抑制することができる。また圧力計は一般的に信頼性が高い装置であり、この信頼性の高い装置を使用して送出手段を制御することとなるので、液体送出制御システムの信頼性を向上することができる。また、変化率導出手段が圧力計によって測定された圧力に基づいて水圧変化率を導出し、送出量導出手段が変化率導出手段によって導出された水圧変化率に基づいて送出手段の送出量を導出し、制御手段が送出量導出手段によって導出された送出量を目標送出量とするように送出手段を制御するので、確実かつ容易に送出手段を制御することができる。
【図面の簡単な説明】
【００３７】
【図１】本発明による燃料電池システムの一実施の形態の概要を示す概要図である。
【図２】図１に示す燃料電池システムを示すブロック図である。
【図３】図２に示した制御装置にて実行される制御プログラムのフローチャートである。
【符号の説明】
【００３８】
１０…燃料電池、１１…燃料極、１２…空気極、２０…改質器、２１…バーナ、２２…改質部、２３…一酸化炭素シフト反応部（ＣＯシフト部）、２４…一酸化炭素選択酸化反応部（ＣＯ選択酸化部）、２５…蒸発器、３０…凝縮器、３１…改質ガス用凝縮器、３２…アノードオフガス用凝縮器、３３…カソードオフガス用凝縮器、３４…燃焼ガス用凝縮器、４０…純水器、５０…貯水器、５１…圧力計、５３…改質水ポンプ、６１〜６７…配管、６８…改質水供給管。
【図１】
2005276544.tif 000007
【図２】
2005276544.tif 000008
【図３】
2005276544.tif 000009